(57)【要約】【課題】内容物の注出に際し容器を簡易に傾斜させる。【解決手段】床面（１）に縦置きされた容器（２）の側面に当接し保持手段（８，１０ａ，１０ｂ）を介して容器（２）を保持する起立容器受け部（３）と、起立容器受け部（３）を容器（２）と共に傾斜状態にして支持する傾斜容器受け部（４）と、起立容器受け部（３）の底から傾斜容器受け部（４）へと伸びる案内部（５）とが一体化されてなる構造体を備えた容器傾斜装置とする。床面に縦置きされた容器の側面に起立容器受け部を当てて保持手段により容器を保持したうえで構造体を傾斜させると、構造体が案内部の案内によって横転し、傾斜容器受け部が床面に接したところで停止し、これにより容器が起立容器受け部と共に横転状態になり容器から内容物が流出する。【選択図】      図２
2005015090.tif 000002
【特許請求の範囲】
【請求項１】
床面に縦置きされた容器の側面に当接し保持手段を介して容器を保持する起立容器受け部と、起立容器受け部を容器と共に傾斜状態にして支持する傾斜容器受け部と、起立容器受け部の底から傾斜容器受け部へと伸びる案内部とが一体化されてなる構造体を備えたことを特徴とする容器傾斜装置。
【請求項２】
請求項１に記載の容器傾斜装置において、案内部が床面上を転がる湾曲体で形成されたことを特徴とする容器傾斜装置。
【請求項３】
請求項１又は請求項２に記載の容器傾斜装置において、起立容器受け部が起立状態を維持するように起立容器受け部の底と案内部との間に起立保持部が設けられたことを特徴とする容器傾斜装置。
【請求項４】
請求項１乃至請求項３のいずれかに記載の容器傾斜装置において、保持手段が容器を構造体に連結する連結体であることを特徴とする容器傾斜装置。
【請求項５】
請求項１乃至請求項３のいずれかに記載の容器傾斜装置において、保持手段が容器の底に当接可能に構造体に固着された当接片であることを特徴とする容器傾斜装置。
【発明の詳細な説明】
【０００１】
【発明の属する技術分野】
本発明は、容器傾斜装置に関する。
【０００２】
【従来の技術】
従来、一斗缶（１８リットル缶）やその他の容器から内容物を注出する場合は作業者が缶等の容器を持ち上げて傾けるか、或いは専用の装置に乗せて容器を傾斜させることにより内容物の注出を行っている（例えば、特許文献１，２参照。）。
【特許文献１】
特開２００１−３１１９９号公報
【特許文献２】
実用新案登録第３０１５２９１号公報
【０００３】
【発明が解決しようとする課題】
しかしながら、内容物が充填された一斗缶等の容器は非常に重く、例えばグラビアインキ等の液体が入った容器の重量は１６〜１８ｋｇにもなるので、手によって持ち上げたり、傾けたりすることは作業者にとって大きな負担となる。また、特許文献１，２に記載されるような一斗缶専用装置を使用する場合であっても、作業者が一斗缶を持ち上げて専用装置に乗せなければならない。それに加え専用装置は全体の寸法、重量も大きく、持ち運びするうえでも不便である。
【０００４】
本発明は、上記問題点を解決することができる容器傾斜装置を提供することを目的とする。
【０００５】
【課題を解決するための手段】
上記課題を解決するため、請求項１に係る発明は、床面（１）に縦置きされた容器（２）の側面に当接し保持手段（８，１０ａ，１０ｂ）を介して容器（２）を保持する起立容器受け部（３）と、起立容器受け部（３）を容器（２）と共に傾斜状態にして支持する傾斜容器受け部（４）と、起立容器受け部（３）の底から傾斜容器受け部（４）へと伸びる案内部（５）とが一体化されてなる構造体を備えた容器傾斜装置を採用する。
【０００６】
この請求項１に係る発明によれば、床面（１）に縦置きされた容器（２）の側面に起立容器受け部（３）を当てて保持手段（８，１０ａ，１０ｂ）により容器（２）を保持したうえで構造体を傾斜させると、構造体が案内部（５）の案内によって横転し、傾斜容器受け部（４）が床面（１）に接したところで停止し、これにより容器（２）が起立容器受け部（３）と共に横転状態になり容器（２）から内容物が流出する。従って、簡易かつ迅速に容器（２）を傾斜させて内容物を容器（２）外に取り出すことができる。また、容器傾斜装置は簡素な構造物であるから、簡易に持ち運ぶことができる。
【０００７】
また、請求項２に係る発明は、請求項１に記載の容器傾斜装置において、案内部（５）が床面（１）上を転がる湾曲体（５ａ，５ｂ）で形成された容器傾斜装置を採用する。
【０００８】
この請求項２に係る発明によれば、案内部である湾曲体（５ａ，５ｂ）が床面（１）上を転がるので、容器を滑らかに傾斜させることができ、従って内容物を円滑に注ぎ出すことができる。
【０００９】
また、請求項３に係る発明は、請求項１又は請求項２に記載の容器傾斜装置において、起立容器受け部（３）が起立状態を維持するように起立容器受け部（３）の底と案内部（５）との間に起立保持部（９）が設けられた容器傾斜装置を採用する。
【００１０】
この請求項３に係る発明によれば、起立保持部（９）を床面（１）に接触させることにより起立容器受け部（３）の起立状態を維持することができる。従って、容器（２）を起立容器受け部（３）に保持する作業を円滑に行うことができる。
【００１１】
また、請求項４に係る発明は、請求項１乃至請求項３のいずれかに記載の容器傾斜装置において、保持手段が容器を構造体に連結する連結体（８）である容器傾斜装置を採用する。
【００１２】
この請求項４に係る発明によれば、連結体（８）により容器（２）を構造体に簡易に固定することができる。
【００１３】
また、請求項５に係る発明は、請求項１乃至請求項３のいずれかに記載の容器傾斜装置において、保持手段が容器（２）の底に当接可能に構造体に固着された当接片（１０ａ，１０ｂ）である容器傾斜装置を採用する。
【００１４】
この請求項５に係る発明によれば、容器（２）をその底が当接片（１０ａ，１０ｂ）に当たるように起立容器受け部（３）に添わせた上で構造体を傾斜させれば容器（２）は起立容器受け部（３）上をずれることなく傾斜する。従って、内容物の注出の際に簡易に容器（２）を傾斜させることができる。
【００１５】
【発明の実施の形態】
次に、本発明の実施の形態について図面を参照して説明する。
＜実施の形態１＞
図１及び図２に示すように、この容器傾斜装置は、床面１に縦置きされた容器２の側面に当接し保持手段を介して容器２を保持する起立容器受け部と３、容器２と共に起立容器受け部３を傾斜状態にして支持する傾斜容器受け部４と、起立容器受け部３の底から傾斜容器受け部４へと伸びる案内部５とを備える。
【００１６】
これら起立容器受け部３と、傾斜容器受け部４と、案内部５とが構造体である枠体として一体化される。このため、容器傾斜装置は全体が小型化、軽量化され、簡易に運搬することができる。図示例では構造体は断面四角形の角棒で形成されるが、中空の角棒、丸棒、アングル材、板材等他の材料で又はそれらの材料を適宜交えて形成することができる。また、材料の種類も金属、合成樹脂、木材等各種のものを選ぶことができる。
【００１７】
図２に示すように、この実施の形態で処理対象として例示する容器２は四角筒状の一斗缶であり、筒壁２ａの上下が天板２ｂと底板２ｃでそれぞれ閉じられている。天板２ｂの隅部には注出口２ｄが設けられ、天板２ｂの中央部には取っ手２ｅが起倒可能に設けられている。もちろん、処理対象とする容器２は上記一斗缶に限らず、例えば円筒形容器、非筒形容器のような他の形態の容器、容量の異なる容器についても使用可能である。
【００１８】
図１及び図２に示すように、起立容器受け部３は、容器２の高さよりやや高めに縦向きに平行に伸びる二本の縦長部材３ａ，３ｂを有する。縦長部材３ａ，３ｂの上端間には容器２の天板２ｂを横断し得るように横長部材３ｃが水平に掛け渡される。各縦長部材３ａ，３ｂにおける横長部材３ｃよりもやや下方位置と中間位置とには容器２の側面である筒壁２ａに当たる受け部材３ｄ，３ｅが上下二対で固定される。受け部材３ｄ，３ｅはその延長線が例えば略９０度の角度で交差するように各縦長部材３ａ，３ｂから突出する。容器２はこの起立容器受け部３があてがわれることにより、その筒壁２ａの角部が受け部材３ｄ，３ｅ間に嵌り込み、筒壁２ａの隣り合う二壁面が受け部材３ｄ，３ｅに当接する。なお、容器２の筒壁２ａが円筒形の場合であってもこれらの受け部材３ｄ，３ｅで受け止めることができるが、その場合は受け部材３ｄ，３ｅを円筒形に倣うように湾曲させてもよい。
【００１９】
上下二対の受け部材３ｄ，３ｅは、必要に応じ、図１（Ｂ）に示すように、水平に配置した短脚と長脚の二つのコ字形補強部材６，７で補強される。すなわち、上側の短脚補強部材６の自由端が上側の受け部材３ｄの一端と共に縦長部材３ａ，３ｂの上部に固着され、下側の長脚補強部材７の自由端が下側の受け部材３ｅの一端と共に縦長部材３ａ，３ｂの中間部に固着され、各対の受け部材３ｄ，３ｅの他端が各補強部材６，７の中間部６ａ，７ａに接合部材６ｂ，７ｂを介して連結される。また、上下二対の受け部材３ｄ，３ｅはそれらの他端が上下間で連結部材６ｃ，７ｃにより連結されることにより更に補強される。
【００２０】
保持手段は、図２に示すように、容器２を構造体に連結する連結体として構成され、より具体的にはベルト８により構成される。一条又は複数条のベルト８が容器２を抱くように容器２の筒壁２ａに巻き付けられ、各ベルト８の両端が縦長部材３ａ，３ｂに図示しない金具等により連結される。このベルト８により容器２は起立容器受け部３にしっかりと固定される。保持手段としてはベルト８のほかマグネット、面ファスナー等各種の手段を用いることができる。
【００２１】
傾斜容器受け部４は、起立容器受け部３に平行に設けられるほか、望ましくは図１及び図２に示すように、起立容器受け部３の上部に向かってやや傾斜するように設けられる。すなわち、傾斜容器受け部４は、各縦長部材３ａ，３ｂの上部に向かってやや傾斜した二本の傾斜部材４ａ，４ｂを備え、各傾斜部材４ａ，４ｂの一端が上記上側補強部材６の角部に連結され他端が上記下側補強部材７の角部に連結される。この傾斜部材４ａ，４ｂが図２（Ｃ）に示すように床面１に接触すると、起立容器受け部３上の容器２は下向きに傾斜した横転状態で保持されることになる。
【００２２】
図１及び図２に示すように、案内部５は、起立容器受け部３の底から傾斜容器受け部４へと伸びる湾曲体である湾曲部材５ａ，５ｂを備える。湾曲部材５ａ，５ｂは上記縦長部材３ａ，３ｂの各々の下端から上記傾斜部材４ａ，４ｂの各々の一端へと円弧状に湾曲して伸びている。円弧状に湾曲させないで多角形状に設けてもよい。この湾曲部材５ａ，５ｂの案内作用により、構造体を図２（Ａ）の状態から右方に傾斜させると構造体は湾曲部材５ａ，５ｂの箇所で床面４を転がり、同図（Ｃ）のごとく傾斜して停止する。
【００２３】
湾曲部材５ａ，５ｂは起立容器受け部３の縦長部材３ａ，３ｂに直結してもよいが、望ましくは図１及び図２に示すように、起立容器受け部３の底と案内部５との間に起立保持部９である直部材９ａ，９ｂが設けられる。図２（Ａ）に示すように、直部材９ａ，９ｂが床面１に接することにより、構造体は起立位置を保持するので、容器２を起立容器受け部３に保持する作業が円滑化される。
【００２４】
次に、上記構成の容器傾斜装置の作用について説明する。
【００２５】
グラビアインキ製造ラインで使用する場合を例にとって説明すると、このラインの検査工程ではインキ貯留槽（図示せず）内のインキを充填機により図２に示すような一斗缶である容器２に充填してインキの調合状態を検査し、確認した後このインキをインキ貯留槽に戻すような作業が行われる。また、インキの調合工程では数種類の原料インキをそれぞれ充填した一斗缶の容器２を傾けて調合槽（図示せず）内に注入する作業が行われる。
【００２６】
このような各種作業において、作業者は図２（Ａ）（Ｂ）に示すように、地面等の床面１に縦置きされたインキの詰まった容器２へと構造体を近づけ、構造体の起立容器受け部３を容器２の側面の筒壁２ａに当てる。そして、保持手段であるベルト８を容器２の筒壁２ａに巻き付けて容器２を構造体に固定する。その際、構造体はその直部材９ｂの箇所が床面１に接することにより起立状態を保持するので、作業者は構造体を倒れないように支えることなくベルト掛け作業を行うことができる。
【００２７】
次いで、容器２の天板２ｂの取っ手２ｅを構造体の横長部材３ｃに添えて横長部材３ｃごと手で把持し、構造体を容器２と共に反容器側に傾斜させる。また、構造体の傾斜に先立ち容器２の注出口２ｄを開けておく。
【００２８】
構造体の傾斜が大きくなると、図２（Ｃ）に示すように、案内部５である湾曲部材５ａ，５ｂが床面１上を転がるので、構造体が滑らかに傾斜し、傾斜容器受け部４が床面１に接したところで停止する。このように、作業者は一斗缶である容器２をなんら持ち上げることなく簡易に傾斜させることができる。
【００２９】
構造体の傾斜容器受け部４が床面１に接すると、容器２はやや下向きに傾斜した横転状態を維持し、容器２の注出口２ｄから内容物であるインキが流出する。
【００３０】
インキの流出中、作業者は構造体及び容器２から離れることができるので、作業者は他の作業を行うことができ、また、多数の一斗缶の容器２に対して上記操作を行うことにより、同時に多数の容器２からインキを調合槽等に注入することが出来る。
【００３１】
ここではインキ容器の注出作業を例にとって説明したが、この容器傾斜装置は他の内容物、他の容器の注出作業にも利用することができる。
＜実施の形態２＞
図３に示すように、この実施の形態２では、容器傾斜装置の構造体における起立容器受け部３の底に保持手段である当接片１０ａ，１０ｂが固着される。
【００３２】
床面１に起立状態で置いた容器２に構造体を近づけ、構造体の起立容器受け部３を容器２の側面に当てながら当接片１０ａ，１０ｂを容器２の底に押し込み、その後構造体を傾斜させれば容器２は構造体からずり落ちることなく構造体と一体で傾斜し、内容物の注出が可能になる。
【００３３】
【発明の効果】
請求項１に係る発明によれば、床面に縦置きされた容器の側面に当接し保持手段を介して容器を保持する起立容器受け部と、起立容器受け部を容器と共に傾斜状態にして支持する傾斜容器受け部と、起立容器受け部の底から傾斜容器受け部へと伸びる案内部とが一体化されてなる構造体を備えた容器傾斜装置であるから、床面に縦置きされた容器の側面に起立容器受け部を当てて保持手段により容器を保持したうえで構造体を傾斜させると、構造体が案内部の案内によって横転し、傾斜容器受け部が床面に接したところで停止し、これにより容器が起立容器受け部と共に横転状態になり容器から内容物が流出する。従って、内容物が充填された容器を持ち上げることなく簡易かつ迅速に容器を傾斜させて内容物を容器外に取り出すことができる。また、内容物を取り出している間は作業者が容器から離れることができ、注出作業から解放される。また、容器傾斜装置は簡素な構造物であるから簡易に持ち運ぶことができる。
【００３４】
請求項２に係る発明によれば、請求項１に記載の容器傾斜装置において、案内部が床面上を転がる湾曲体で形成された容器傾斜装置であり、案内部である湾曲体が床面上を転がるので、構造体を滑らかに傾斜させることができ、従って内容物を円滑に注ぎ出すことができる。
【００３５】
請求項３に係る発明によれば、請求項１又は請求項２に記載の容器傾斜装置において、起立容器受け部が起立状態を維持するように起立容器受け部の底と案内部との間に起立保持部が設けられた容器傾斜装置であるから、起立保持部を床面に接触させることにより起立容器受け部の起立状態を維持することができる。従って、容器を起立容器受け部に保持する作業を円滑に行うことができる。
【００３６】
請求項４に係る発明によれば、請求項１乃至請求項３のいずれかに記載の容器傾斜装置において、保持手段が容器を構造体に連結する連結体である容器傾斜装置であるから、連結体により容器を構造体に簡易に固定することができる。
【００３７】
請求項５に係る発明によれば、請求項１乃至請求項３のいずれかに記載の容器傾斜装置において、保持手段が容器の底に当接可能に構造体に固着された当接片である容器傾斜装置であるから、容器をその底が当接片に当たるように起立容器受け部に添わせた上で構造体を傾斜させれば容器は起立容器受け部上をずれることなく傾斜する。従って、内容物の注出の際に簡易に容器を傾斜させることができる。
【図面の簡単な説明】
【図１】本発明の実施の形態１に係る容器傾斜装置の構造体を示し、（Ａ）は正面図、（Ｂ）は平面図、（Ｃ）は左側面図、（Ｄ）は図Ａ中Ｄ−Ｄ線矢視断面図である。
【図２】図１に示す構造体の使用例を示す図であり、（Ａ）は起立した容器を保持する構造体の正面図、（Ｂ）はＡに示す構造体及び容器の平面図、（Ｃ）は容器を保持して傾斜した構造体の正面図である。
【図３】本発明の実施の形態２に係る容器傾斜装置の構造体を容器と共に示し、（Ａ）は起立した容器を保持する構造体の正面図、（Ｂ）はＡに示す構造体及び容器の底面図である。
【符号の説明】
１…床面
２…容器
３…起立容器受け部
４…傾斜容器受け部
５…案内部
５ａ，５ｂ…湾曲部材
８…ベルト
９…起立保持部
１０ａ，１０ｂ…当接片
【図１】
2005015090.tif 000003
【図２】
2005015090.tif 000004
【図３】
2005015090.tif 000005